(57)【特許請求の範囲】
【請求項１】
表示部と、
電子データ化された拒絶理由通知書を読み取り、第１抽出工程として、前記拒絶理由通知書に記載された内容の中から、引用文献に関する情報、及び所定の番号や文字列を抽出し、データ取得工程として、ネットワークを介して前記引用文献の電子データを取得し、リンク形成工程として、抽出した番号や文字列と前記引用文献における抽出した番号や文字列に関連する箇所との間のリンクを形成し、第１表示工程として、前記リンクが可能であることを示した状態で、前記拒絶理由通知書の内容を含む第１画面を前記表示部に表示させる制御部とを備え、
前記引用文献に関する情報は、少なくとも前記引用文献の公報番号と、前記引用文献に対応する前記拒絶理由通知書における通し番号である「引用文献番号」を有し、
前記所定の番号は、前記「引用文献番号」を有し、
前記所定の文字列は、「引用文献」と書かれた文字列とその後方に隣接する「引用文献番号」の組み合わせ、「墨付き括弧」とその「墨付き括弧」に含まれた「段落番号」の組み合わせ、及び「図」と書かれた文字とその後方に隣接する「図面番号」の組み合わせ少なくとも１つを有し、
前記第１抽出工程では、前記引用文献に関する情報として、前記拒絶理由通知書の「引用文献等一覧」から、前記データ取得工程における前記引用文献の電子データを取得するために必要な情報である前記引用文献の公報番号と前記引用文献に対応する「引用文献番号」が抽出され、
前記所定の番号として、「引用文献：」と書かれた第１領域の後方に隣接する引用文献番号が、抽出され、
前記所定の文字列として、「引用文献」と書かれた第２領域とその後方に隣接する「引用文献番号」、「墨付き括弧」が書かれた第３領域と前記第３領域に含まれた「段落番号」、及び「図」と書かれた第４領域と前記第４領域の後方に隣接する「図面番号」の少なくとも１つが抽出され、
前記拒絶理由通知書に、前記引用文献が複数挙げられている場合には、前記制御部は、前記第１抽出工程において、前記「段落番号」や、前記「図面番号」が、どの引用文献のものであるかを特定する第１特定工程を実施するものであり、
前記第１特定工程として、前記拒絶理由通知書に記載された「段落番号」や「図面番号」の少なくとも１つが含まれる段落内に、前記第２領域とその後方に隣接する「引用文献番号」で構成された文字列が含まれる場合には、前記段落に含まれる「段落番号」や「図面番号」の少なくとも１つは、前記段落に含まれる前記第２領域とその後方に隣接する「引用文献番号」で構成された文字列に対応する引用文献のものであると判断されることを特徴とする知的財産管理システム。
【請求項２】
入力部を更に備え、
前記入力部を介して出願番号に関する情報が入力されると、前記制御部は、ネットワークを介して、前記電子データ化された拒絶理由通知書を含むデータベースにアクセスし、前記電子データ化された拒絶理由通知書であって前記出願番号に対応するものを読み取り、前記第１抽出工程、前記データ取得工程、前記リンク形成工程、前記第１表示工程を行うことを特徴とする請求項１に記載の知的財産管理システム。
【請求項３】
前記リンク形成工程では、「引用文献」と書かれた第２領域と前記「引用文献番号」のいずれかが、クリックされた場合に、前記「引用文献番号」に対応する引用文献の願書部分が、表示されるように、リンクが形成され、
「墨付き括弧」が書かれた第３領域と前記「段落番号」のいずれかが、クリックされた場合に、前記「段落番号」に対応する引用文献であって、前記「段落番号」に対応する段落の内容が表示されるように、リンクが形成され、
「図」と書かれた第４領域と前記「図面番号」のいずれかが、クリックされた場合に、前記「図面番号」に対応する引用文献であって、前記「図面番号」に対応する図面の内容が表示されるように、リンクが形成されることを特徴とする請求項１に記載の知的財産管理システム。
【請求項４】
前記第１画面に表示された状態で、前記リンクが形成された部分がクリックされると、前記制御部は、前記第１表示工程として、前記リンクが形成された部分に対応する「引用文献」の内容を示す第２画面を、前記表示部に表示させることを特徴とする請求項３に記載の知的財産管理システム。
【請求項５】
前記第１画面に表示された状態で、第６領域として、前記拒絶理由通知書の一部の領域が指定された場合に、前記制御部は、第２抽出工程として、前記第６領域における単語を抽出し、第２特定工程として、前記第６領域がどの「引用文献」のものであるかを特定し、算出工程として、前記第２特定工程で特定された「引用文献」における段落ごとに、前記第２抽出工程で抽出された単語の使用頻度を算出し、第２表示工程として、段落ごとに算出された使用頻度に関する情報を含む第３画面を、段落ごとに算出された使用頻度に関する情報を表示した第７領域に対応した段落の内容をリンクして表示可能な状態で、前記表示部に表示させるものであり、
前記第２特定工程として、前記第６領域が含まれる段落内に、「引用文献」と書かれた第２領域とその後方に隣接する「引用文献番号」で構成された文字列が含まれる場合には、前記段落に含まれる前記第６領域は、前記段落に含まれる前記第２領域とその後方に隣接する「引用文献番号」で構成された文字列に対応する引用文献のものであると判断されることを特徴とする請求項１に記載の知的財産管理システム。
【請求項６】
電子データ化された拒絶理由通知書に記載された内容の中から、引用文献に関する情報、及び所定の番号や文字列を抽出する第１抽出工程と、
ネットワークを介して、前記引用文献の電子データを取得するデータ取得工程と、
抽出した番号や文字列と前記引用文献における抽出した番号や文字列に関連する箇所との間のリンクを形成するリンク形成工程と、
前記リンクが可能であることを示した状態で、前記拒絶理由通知書の内容を含む第１画面を前記表示部に表示させる第１表示工程とを実行するものであり、
前記引用文献に関する情報は、少なくとも前記引用文献の公報番号と、前記引用文献に対応する前記拒絶理由通知書における通し番号である「引用文献番号」を有し、
前記所定の番号は、前記「引用文献番号」を有し、
前記所定の文字列は、「引用文献」と書かれた文字列とその後方に隣接する「引用文献番号」の組み合わせ、「墨付き括弧」とその「墨付き括弧」に含まれた「段落番号」の組み合わせ、及び「図」と書かれた文字とその後方に隣接する「図面番号」の組み合わせ少なくとも１つを有し、
前記第１抽出工程では、前記引用文献に関する情報として、前記拒絶理由通知書の「引用文献等一覧」から、前記データ取得工程における前記引用文献の電子データを取得するために必要な情報である前記引用文献の公報番号と前記引用文献に対応する「引用文献番号」が抽出され、
前記所定の番号として、「引用文献：」と書かれた第１領域の後方に隣接する引用文献番号が、抽出され、
前記所定の文字列として、「引用文献」と書かれた第２領域とその後方に隣接する「引用文献番号」、「墨付き括弧」が書かれた第３領域と前記第３領域に含まれた「段落番号」、及び「図」と書かれた第４領域と前記第４領域の後方に隣接する「図面番号」の少なくとも１つが抽出され、
前記拒絶理由通知書に、前記引用文献が複数挙げられている場合には、前記制御部は、前記第１抽出工程において、前記「段落番号」や、前記「図面番号」が、どの引用文献のものであるかを特定する第１特定工程を実施するものであり、
前記第１特定工程として、前記拒絶理由通知書に記載された「段落番号」や「図面番号」の少なくとも１つが含まれる段落内に、前記第２領域とその後方に隣接する「引用文献番号」で構成された文字列が含まれる場合には、前記段落に含まれる「段落番号」や「図面番号」の少なくとも１つは、前記段落に含まれる前記第２領域とその後方に隣接する「引用文献番号」で構成された文字列に対応する引用文献のものであると判断されることを特徴とする知的財産管理プログラム。
【発明の詳細な説明】
【技術分野】
【０００１】
本発明は、特許出願などに対する知的財産管理システムに関する。
【背景技術】
【０００２】
従来、特許文献１のように、特許出願などの拒絶理由通知から引用文献に関する情報を抽出する知的財産管理システムが提案されている。
【先行技術文献】
【特許文献】
【０００３】
【特許文献１】特開２００７−１０８８４４号公報
【発明の概要】
【発明が解決しようとする課題】
【０００４】
しかし、引用文献におけるどの部分が拒絶理由通知に関連しているかを示す情報までは示されておらず、使用者が引用文献の内容を読んで拒絶理由通知との関連性を調べる必要があった。
【０００５】
したがって本発明の目的は、特許出願などの拒絶理由通知と引用文献との関連性に関する情報を示す知的財産管理システムまたは知的財産管理プログラムを提供することである。
【課題を解決するための手段】
【０００６】
本発明に係る知的財産管理システムは、表示部と、電子データ化された拒絶理由通知書を読み取り、第１抽出工程として、拒絶理由通知書に記載された内容の中から、引用文献に関する情報、及び所定の番号や文字列を抽出し、データ取得工程として、ネットワークを介して引用文献の電子データを取得し、リンク形成工程として、抽出した番号や文字列と引用文献における抽出した番号や文字列に関連する箇所との間のリンクを形成し、第１表示工程として、リンクが可能であることを示した状態で、拒絶理由通知書の内容を含む第１画面を表示部に表示させる制御部とを備える。
【０００７】
電子データ化された拒絶理由通知書の内容を読み取って、特許出願などの拒絶理由通知と引用文献との関連性に関する情報として、関連する引用文献の情報を表示することが可能になる。特に、引用文献において、所定の番号や文字列として、拒絶理由通知書で指摘されている段落、図面、請求項に関連する部分を表示するため、拒絶理由通知書との対応関係を把握しやすい。
【０００８】
好ましくは、入力部を更に備え、入力部を介して出願番号に関する情報が入力されると、制御部は、ネットワークを介して、電子データ化された拒絶理由通知書を含むデータベースにアクセスし、電子データ化された拒絶理由通知書であって出願番号に対応するものを読み取り、第１抽出工程、データ取得工程、リンク形成工程、第１表示工程を行う。
【０００９】
この場合には、手元に拒絶理由通知書が無くても、出願番号を入力する操作だけで、拒絶理由通知書の内容を入手して、第１抽出工程などを行うことが可能になる。
【００１０】
また、好ましくは、第１抽出工程では、引用文献に関する情報として、拒絶理由通知書の「引用文献等一覧」から、データ取得工程における引用文献の電子データを取得するために必要な情報が抽出され、所定の番号として、「引用文献：」と書かれた第１領域の後方に隣接する引用文献番号が、抽出され、所定の文字列として、「引用文献」と書かれた第２領域とその後方に隣接する「引用文献番号」、「墨付き括弧」が書かれた第３領域と第３領域に含まれた「段落番号」、「図」と書かれた第４領域と第４領域の後方に隣接する「図面番号」、及び「請求項」と書かれた第５領域と第５領域の後方に隣接する「請求項番号」の少なくとも１つが抽出される。
【００１１】
さらに好ましくは、拒絶理由通知書に、引用文献が複数挙げられている場合には、制御部は、第１抽出工程において、「段落番号」や、「図面番号」や、「請求項番号」が、どの引用文献のものであるかを特定する第１特定工程を実施する。
【００１２】
また、好ましくは、リンク形成工程では、第２領域と「引用文献番号」のいずれかが、クリックされた場合に、「引用文献番号」に対応する引用文献の願書部分が、表示されるように、リンクが形成され、第３領域と「段落番号」のいずれかが、クリックされた場合に、「段落番号」に対応する引用文献であって、「段落番号」に対応する段落の内容が表示されるように、リンクが形成され、第４領域と「図面番号」のいずれかが、クリックされた場合に、「図面番号」に対応する引用文献であって、「図面番号」に対応する図面の内容が表示されるように、リンクが形成され、第５領域と「請求項番号」のいずれかが、クリックされた場合に、「請求項番号」に対応する引用文献であって、「請求項番号」に対応する請求項の内容が表示されるように、リンクが形成される。
【００１３】
さらに好ましくは、第１画面に表示された状態で、リンクが形成された部分がクリックされると、制御部は、第１表示工程として、リンクが形成された部分に対応する「引用文献」の内容を示す第２画面を表示部に表示させる。
【００１４】
また、好ましくは、第１画面に表示された状態で、第６領域として、拒絶理由通知書の一部の領域が指定された場合に、制御部は、第２抽出工程として、第６領域における単語を抽出し、第２特定工程として、第６領域がどの「引用文献」のものであるかを特定し、算出工程として、第２特定工程で特定された「引用文献」における段落ごとに、第２抽出工程で抽出された単語の使用頻度を算出し、第２表示工程として、段落ごとに算出された使用頻度に関する情報を含む第３画面を、段落ごとに算出された使用頻度に関する情報を表示した第７領域に対応した段落の内容をリンクして表示可能な状態で、表示部に表示させる。
【００１５】
引用文献において、拒絶理由通知書における指定領域（第６領域）に関連する部分を表示するため、拒絶理由通知書との対応関係を把握しやすい。
【００１６】
本発明に係る知的財産管理プログラムは、電子データ化された拒絶理由通知書に記載された内容の中から、引用文献に関する情報、及び所定の番号や文字列を抽出する第１抽出工程と、ネットワークを介して、引用文献の電子データを取得するデータ取得工程と、抽出した番号や文字列と引用文献における抽出した番号や文字列に関連する箇所との間のリンクを形成するリンク形成工程と、リンクが可能であることを示した状態で、拒絶理由通知書の内容を含む第１画面を表示部に表示させる第１表示工程とを実行する。
【発明の効果】
【００１７】
以上のように本発明によれば、特許出願などの拒絶理由通知と引用文献との関連性に関する情報を示す知的財産管理システムまたは知的財産管理プログラムを提供することができる。
【図面の簡単な説明】
【００１８】
【図１】本実施形態における知的財産管理システムの構成図である。
【図２】拒絶理由通知書の内容を含む第１画面が表示された状態の表示部を示す図である。
【図３】第１画面が表示され、その上に、引用文献の願書の内容を含む第２画面が表示された状態の表示部を示す図である。
【図４】第１画面が表示され、その上に、引用文献の指定段落の内容を含む第２画面が表示された状態の表示部を示す図である。
【図５】拒絶理由通知書の内容を含む第１画面であって第６領域が強調されたものが表示された状態の表示部を示す図である。
【図６】第３画面が表示された状態の表示部を示す図である。
【図７】第１画面が表示され、その上に、引用文献であって、第３画面上で指定された段落の内容を含む第２画面が表示された状態の表示部を示す図である。
【発明を実施するための形態】
【００１９】
以下、本実施形態について、図を用いて説明する。本実施形態における知的財産管理システムは、入力部１、制御部２、記録部３、表示部４、プリンタ５、及び通信部６を備える（図１参照）。
【００２０】
入力部１は、キーボードやマウスなどの情報を入力する装置である。制御部２は、ＣＰＵなどの演算装置である。記録部３には、入力部１を使った所定の操作に基づいて、制御部２が、電子データ化された拒絶理由通知書に対する第１抽出工程、第２抽出工程、第１特定工程、第２特定工程、リンク形成工程、算出工程、第１表示工程、第２表示工程などを実行する知的財産管理プログラムがインストールされている。また、記録部３は、拒絶理由通知書ファイルや、該知的財産管理プログラムを使って作成されたファイルを記録する。拒絶理由通知書は、特許出願の審査過程や、審判過程において、特許庁から出願人（またはその代理人）に送られてくる通知書を言う。
【００２１】
表示部４は、拒絶理由通知書の内容（第１画面Ｐ１）、拒絶理由通知書に記載された引用文献の内容（第２画面Ｐ２）、拒絶理由通知書における指定領域と引用文献との関係（第３画面Ｐ３）を表示する。プリンタ５は、第１画面Ｐ１などを印字する。通信部６は、ネットワークを介して通信する装置で、後述する電子データ取得工程において、特許電子図書館（ＩＰＤＬ：Industrial Property Digital Library）などの出願書類に関するデータベースにアクセスし、拒絶理由通知書に記載された引用文献の電子データをダウンロードする。
【００２２】
なお、知的財産管理プログラムなどがインストールされる記録部３は、通信部６やネットワークを介して、制御部２と通信可能なサーバ（アプリケーションサービスプロバイダ）に設けられる形態であってもよい。
【００２３】
制御部２は、使用者による入力部１を介した指示に基づいて、記録部３にインストールされた知的財産管理プログラムを起動し、表示部４に所定の表示画面（第１画面Ｐ１〜第３画面Ｐ３）を表示させる。図２〜図７は、表示部４に表示される所定の表示画面（第１画面Ｐ１〜第３画面Ｐ３）である。なお、第１画面Ｐ１〜第３画面Ｐ３の周囲には、ファイルの上書き保存などの所定のコマンド入力のための操作領域が設けられる（不図示）。使用者が、入力部１を使って、所定の操作を行うことにより、制御部２が、拒絶理由通知書を読み込み、拒絶理由通知書の内容に関連した引用文献の電子データをダウンロードし、これらを表示部４に表示させる。
【００２４】
図２、図５は、表示部４に、拒絶理由通知書の内容を含む第１画面Ｐ１が表示された状態を示し、図３、図４、図７は、表示部４に、非アクティブで第１画面Ｐ１が表示され、その上に、アクティブで引用文献の内容を含む第２画面Ｐ２が表示された状態を示し、図６は、表示部４に、第３画面Ｐ３が表示された状態を示す。
【００２５】
入力部１を使って、所定の操作が行われると、制御部２は、記録部３に記録されたｈｔｍｌ形式の拒絶理由通知書ファイル（電子データ化された拒絶理由通知書）を読み取り、読み取った拒絶理由通知書に記載された内容の中から、引用文献に関する情報、及び所定の番号や文字列を抽出し（第１抽出工程）、ネットワークを介して、引用文献の電子データを取得し（データ取得工程）、抽出した番号や文字列と引用文献における抽出した番号や文字列に関連する箇所との間のリンクを形成し（リンク形成工程）、かかるリンクが可能であることを示した状態で、拒絶理由通知書の内容を含む第１画面Ｐ１を表示部４に表示させる（第２表示工程）。
【００２６】
なお、拒絶理由通知書のファイル形式はｈｔｍｌ形式に限るものではない。また、拒絶理由通知書ファイルの読み取りに変えて、プリントアウトされた拒絶理由通知書をスキャナで読み取って電子データ化し、光学文字認識（ＯＣＲ：Optical Character Recognition）機能で、読み取った内容から文字情報を取得した上で、第１抽出工程を行う形態であってもよい。
【００２７】
また、出願番号を入力して、ＩＰＤＬなどの出願書類に関するデータベースから拒絶理由通知書のデータもダウンロード（若しくは読み取り）する形態であってもよい。例えば、入力部１を使って、所定の操作画面上で、出願番号を入力すると、制御部２は、ＩＰＤＬにアクセスし、該データベースから該出願番号に対応する拒絶理由通知書を呼び出し、該拒絶理由通知書の内容を読み取って、続いて、第１抽出工程、データ取得工程、リンク形成工程、第２表示工程を行う。この場合には、手元に拒絶理由通知書が無くても、出願番号を入力する操作だけで、拒絶理由通知書の内容を入手して、第１抽出工程などを行うことが可能になる。
【００２８】
第１抽出工程では、引用文献に関する情報として、拒絶理由通知書の「引用文献等一覧」から、拒絶理由通知書上で設定された「引用文献番号」と、データ取得工程における、引用文献の「公開番号」など引用文献の電子データを取得（ダウンロード）するために必要な情報とが抽出される。
【００２９】
また、所定の番号として、「引用文献：」と書かれた第１領域（図２参照）の後方に隣接する数字（「引用文献番号」）が、抽出される。「引用文献番号」が、読点を挟んで複数ある場合には、それぞれが「引用文献番号」として抽出される。
【００３０】
また、所定の文字列として、「引用文献」と書かれた第２領域（図２参照）とその後方に隣接する数字（「引用文献番号」）、墨付き括弧が書かれた第３領域（図２参照）と第３領域に含まれた数字（「段落番号」）、「図」と書かれた第４領域（不図示）とその後方に隣接する数字（「図面番号」）、及び「請求項」と書かれた第５領域（不図示）とその後方に隣接する数字（「請求項番号」）が抽出される。
【００３１】
また、引用文献が複数挙げられている場合には、制御部２は、第１抽出工程において、第３領域内の「段落番号」や、第４領域の後方に隣接する「図面番号」や、第５領域の後方に隣接する「請求項番号」が、どの引用文献のものであるかを特定する（第１特定工程）。例えば、制御部２は、拒絶理由通知書に記載された「段落番号」や「図面番号」や「請求項番号」と同じ段落内に、「引用文献」と「引用文献番号」がある場合には、該「段落番号」や、該「図面番号」や、該「請求項番号」は、該「引用文献番号」に対応するものであると判断する。
【００３２】
図２は、「引用文献番号」として、「１」と「２」が抽出され、「引用文献」と書かれた第２領域とその後方に隣接する「引用文献番号」の組み合わせとして、「引用文献１」と「引用文献２」が抽出され、墨付き括弧が書かれた第３領域と第３領域に含まれた「段落番号」の組み合わせとして、「［０００８］」が抽出された状態を示す。この場合、該「[０００８]」という「墨付き括弧」と「段落番号」は、「引用文献２」に対応するものであると制御部２は判断する。なお、本文では、墨付き括弧として“[  ]”を用いるが、図面上では、実際の墨付き括弧を用いる。
【００３３】
電子データ取得工程では、制御部２は、通信部６やネットワークを介して、特許電子図書館などにアクセスし、拒絶理由通知書に記載された引用文献の電子データをダウンロードし、記録部３に記録する。
【００３４】
リンク形成工程では、「引用文献」と書かれた第２領域とその後方に隣接する「引用文献番号」のいずれかが、入力部１を使ってクリックされた場合に、「引用文献番号」に対応する引用文献の願書部分が第２画面Ｐ２に表示される（図３参照）ように、リンクが形成される。
【００３５】
また、墨付き括弧が書かれた第３領域と第３領域に含まれた「段落番号」のいずれかが、入力部１を使ってクリックされた場合に、「段落番号」に対応する引用文献であって該引用文献における該「段落番号」に対応する段落の内容が第２画面Ｐ２に表示される（図４参照）ように、リンクが形成される。
【００３６】
また、「図」と書かれた第４領域とその後方に隣接する「図面番号」のいずれかが、入力部１を使ってクリックされた場合に、「図面番号」に対応する引用文献であって該引用文献における該「図面番号」に対応する図面の内容が第２画面Ｐ２に表示されるように、リンクが形成される。
【００３７】
また、「請求項」と書かれた第５領域とその後方に隣接する「請求項番号」のいずれかが、入力部１を使ってクリックされた場合に、「請求項番号」に対応する引用文献であって該引用文献における該「請求項番号」に対応する請求項の内容が第２画面Ｐ２に表示されるように、リンクが形成される。
【００３８】
拒絶理由通知書の内容がアクティブの第１画面Ｐ１に表示された状態（図２参照）で、入力部１を使って該リンクが形成された部分がクリックされると、制御部２は、第１表示工程として、第１画面Ｐ１を非アクティブにし、該リンクが形成された部分に対応する「引用文献」の内容を示す第２画面Ｐ２をアクティブで表示する（図３、図４参照）。
【００３９】
また、拒絶理由通知書の内容がアクティブの第１画面Ｐ１に表示された状態で、第６領域（図５参照）として、入力部１を使って拒絶理由通知書の一部の領域が指定された場合に、制御部２は、第６領域を強調表示（図５では、枠で表示）し、第６領域における単語を抽出し（第２抽出工程）、第６領域がどの「引用文献」のものであるかを特定し（第２特定工程）、特定された「引用文献」における段落ごとに、該段落において、第２抽出工程で抽出された単語の使用頻度を算出し（算出工程）、使用頻度が高い段落から順に、第３画面Ｐ３の第１表示領域Ａ１に表示する（第２表示工程、図６参照）。
【００４０】
第２抽出工程で抽出される単語は、漢字、カタカナ、アルファベットの少なくとも１つを含み、且つひらがなを含まないものを示す。例えば、拒絶理由通知書に、「第１の物質」と書かれた場合には、この部分から、「第１」という単語と、「物質」という２つの単語が抽出され、拒絶理由通知書に、「第１物質」と書かれた場合には、この部分から、「第１物質」という１つの単語が抽出される。
【００４１】
ただし、拒絶理由通知書には、「引用文献」に関連する記載と、関連しない記載とがある。このため、第２特定工程において、使用者によって指定された第６領域が、「引用文献」に関連しない記載である場合には、制御部２は、第６領域の強調表示を行わず、算出工程や第２表示工程を行わない。
【００４２】
次に、第３画面Ｐ３の詳細について説明する（図６参照）。第３画面Ｐ３は、第１〜第５表示領域Ａ１〜Ａ５を有する。
【００４３】
第１表示領域Ａ１は、拒絶理由通知書における第６領域に対応する「引用文献」の段落ごとに、第６領域で抽出された単語（語句）の使用頻度に関する情報を表示する領域であり、「段落番号」、該「段落番号」に記載された内容の一部又は全部、及び各段落における使用頻度に関する情報を有し、第６領域で抽出された単語の使用頻度が高い段落から順に並べられる。
【００４４】
使用頻度に関する情報としては、第６領域で抽出された単語が、各段落で使用された数（単語数、図６では「キーワードの数」と表現している）、または各段落で使用された割合（合致率、例えば、計算対象段落において、第６領域で抽出された単語が含まれる文字数を、該計算対象段落の文字数で割ったもの）が考えられる。
【００４５】
第６領域で抽出された単語の使用頻度が高い段落は、第６領域の内容を含む説明を記載した可能性が高く、かかる段落の内容を見れば、拒絶理由通知書における第６領域に書かれている内容と、引用文献との対応関係を確認することが可能になる。
【００４６】
複数の段落は、線で区切られ、段落ごとに選択が可能な状態で表示される。複数の段落のうち、入力部１を使ってクリックして選択された段落が、色分けしたりするなどして他の段落と区別が出来る状態で表示される。図６では、段落[００５２]が選択された状態を示す。また、第６領域で抽出された単語の使用頻度に応じて色分け表示される形態であってもよい。
【００４７】
制御部２は、段落ごとに算出された使用頻度に関する情報を含む第３画面Ｐ３を、段落ごとに算出された使用頻度に関する情報を表示した第７領域に対応した段落の内容をリンクして表示可能な状態で、表示部４に表示させる。具体的には、入力部１を使って第２表示領域Ａ２の第７領域がクリックされると、制御部２は、選択された第７領域の「段落番号」に対応する「引用文献」であって該「引用文献」における該「段落番号」を含む領域を第２画面Ｐ２に表示する（図７参照）。図７では、段落[００５２]と書かれた第７領域が選択され、段落[００５２]を含む領域を第２画面Ｐ２に表示する状態を示す。
【００４８】
第３表示領域Ａ３は、第１表示領域Ａ１で選択された「段落番号」の段落において抽出された単語（語句）を表示する領域である。制御部２は、抽出された単語のうち、拒絶理由通知書の指定領域で使用されている単語を、使用されていない単語と区別するために、強調表示（ここでは四角枠で単語を囲む）する。
【００４９】
第３画面Ｐ３が表示された状態で、入力部１を使って、第３表示領域Ａ３に表示された単語がクリックされると、制御部２は、クリックされた単語が強調された状態で、「引用文献（ここでは「引用文献１」）」の内容を表示する第２画面Ｐ２をアクティブ状態にし、第３画面Ｐ３を非アクティブ状態にする（不図示）。
【００５０】
入力部１を使って第４表示領域Ａ４がクリックされると、制御部２は、第１表示領域Ａ１で選択された「段落番号」の段落から単語（語句）を抽出する条件などを設定するために使用される画面を表示する（不図示）。入力部１を使って第５表示領域Ａ５がクリックされると、制御部２は、第３画面Ｐ３の表示を終了し、第１画面Ｐ１をアクティブ状態にする（図５参照）。
【００５１】
本実施形態では、電子データ化された拒絶理由通知書の内容を読み取って、特許出願の審査や審判における拒絶理由通知と引用文献との関連性に関する情報として、関連する引用文献の情報を表示することが可能になる。特に、引用文献において、所定の番号や文字列として、拒絶理由通知書で指摘されている段落、図面、請求項、指定領域（第６領域）に関連する部分を表示したり、拒絶理由通知書における指定領域（第６領域）に関連する部分を表示したりするため、拒絶理由通知書との対応関係を把握しやすい。
【符号の説明】
【００５２】
１  入力部
２  制御部
３  記録部
４  表示部
５  プリンタ
６  通信部
Ａ１〜Ａ５  第１〜第５表示領域（第３画面）
Ｐ１〜Ｐ３  第１〜第３画面
【図１】
0005479285.tif 000002
【図２】
0005479285.tif 000003
【図３】
0005479285.tif 000004
【図４】
0005479285.tif 000005
【図５】
0005479285.tif 000006
【図６】
0005479285.tif 000007
【図７】
0005479285.tif 000008